(57)【要約】【課題】本発明は従来の複数釣針、枝ハリス、幹糸セットの糸巻、固定式及びスライド式に於ける問題点である枝ハリスの長短に関係なく一つの糸巻で自由に使用出来る糸巻が必要であった又固定式及びスライド式では幹糸の糸巻直径が小さくなるため幹糸に糸癖が付きやすいので、実際の釣に於いて影響を最小にする為巻き糸癖の削減を図る必要があり複数釣針、枝ハリス、幹糸セットの糸巻の新たな発明を行う必要があった。【解決手段】中心筒一本で任意の長さの外周全体を上下に移動させる為の構造の、中心筒より直径の大なる各柱類を任意の巾にて、両端に糸はずれ止めの枠を設け、その糸巻の垂直中心に中心筒を挿入できるように穴を削穴し更にその糸巻の枠に周囲に任意の数の糸止めを設け、その糸巻を中心筒の枝ハリスの長さ応じた位置に合わせ、半固定化状態にでき幹糸を巻き取ることの出来る糸巻にした複数釣針、枝ハリス、幹糸セットの半固定形移動式糸巻。【選択図】                図１
2006325474.tif 000002
【特許請求の範囲】
【請求項１】
糸巻の中心に円筒、三角筒、四角筒、多角筒のいずれかを中心筒一本の任意の長さにし、中心筒の外周全体を上下に移動させる為に中心筒より大なる直径、一辺の円柱、角柱、多角柱、逆円錐柱の形状のいずれかを任意の巾の構造にし、そのうえ各柱の両端に糸はずれ止め用の円盤、多角盤のいずれかの枠を設けた糸巻の垂直中心に、中心筒を挿入する為の、半固定できるように糸巻と中心筒の接触面の抵抗性を利用した半固定機構とした穴を削穴した糸巻で、更にその糸巻の上下サイドの円盤、多角盤いずれかの、その円周、多角辺の周囲の下方部分に任意の数の糸止めを設けた物を半固定形移動式糸巻とし、その半固定形移動式糸巻を中心筒の任意の位置に挿入セットし、糸巻本体を半固定化状態にしたうえ、糸巻することを特長とする、糸巻半固定形移動式にした複数釣針、枝ハリス、幹糸セットの半固定形移動式糸巻。
【発明の詳細な説明】
【技術分野】
【０００１】
本発明はプラスチック、竹、木、その他樹脂等の素材の活用が出来る、複数釣針、枝ハリス、幹糸セットの半固定形移動式糸巻に関する。
【背景技術】
【０００２】
釣針が一個の場合のハリスの糸巻は市場に色々あるものの、複数の針、枝ハリス、幹糸が付いている複数釣針については、枝ハリスの部分が分岐して規則的に糸巻することが困難なであった為、円盤状の物が出ているが使用上、取り扱いが今一不便である為、釣り人の考えにて独自の物を使用している。特に市場において販売されている複数釣針の枝ハリス、幹糸の糸巻は紙で出来た糸巻で、一度その物より使用すると元に戻すことが困難な糸巻であります。この発明に当たっては公開特許にて提出されておりますが、特開２００５-３６３５２８６の複数釣針、枝ハリス、幹糸セットの固定式糸巻は枝リスの長さが変動した場合糸巻部分が固定されているので決まった枝ハリスの長さのものでないと使用できなく又糸巻部の直径が小さくなるため幹糸に巻き糸癖が数多く着く為実際の釣において影響が出るので、これらの問題の解決が必要であった。又特開２００５-３６３５２８７の複数釣針、枝ハリス、幹糸セットのスライド式糸巻は枝ハリスの長さが変動しても、糸巻は可能であるが、本体筒と補助筒の二段式のためストッパーの構造が複雑な上、スライドパイプ部分の面積か大きい為隙間に海水が入り込んだ場合すべりが悪くなる可能性があり安定性に問題があった。その上幹糸の糸巻部が複数釣針、枝ハリス、幹糸セットの固定式糸巻と同様に糸巻部の直径が小さくなるため幹糸に巻き糸癖が数多くつくため、実際の釣において影響が出るので、これらの問題の解決が必要であった。又構造的にも従来の物は一本又は二本のパイプに直接糸巻を本体とした構造で、枝ハリスの調整がパイプのスライド式方式であり、当該特許申請は糸巻部分の移動式であり相違するとともに、糸巻の径又は一辺のみが大きくでき、幹糸の糸巻巻き癖が減少出来る様にしたもので、根本的な違いがあり、当発明は中心筒と糸巻部分を分離した構造の新しい発明である。
【０００３】
【特許文献１】特開２００５-３６３５２８６号公報
【特許文献２】特開２００５-３６３５２８７号公報
【発明の開示】
【発明が解決しようとする課題】
【０００４】
趣味の釣道具に於いて従来は複数の針が付いている枝ハリス、幹糸の糸巻保管については枝ハリスと幹糸が分岐されている為、規則的に釣針、枝ハリス、幹糸の糸巻する事が困難であったので、すでに複数釣針、枝ハリス、幹糸セットの固定式とスライド式を考案しましたが、次のような問題があり更なる改善が必要であったので従来より更なる簡単、安全に糸巻、洗浄保管できるように改善した新発明である。
特開２００５-３６３５２８６号公報の複数釣針、枝ハリス、幹糸セットの固定式糸巻は枝リスの長さが変動した場合糸巻部分が固定されているので決まった枝ハリスの長さのものでないと使用できなく又糸巻部の直径が小さくなるため幹糸に糸癖が数多く着く為実際の釣において影響が出るので、これらの問題の解決が必要であった。又特開２００５-３６３５２８７号公報の複数釣針、枝ハリス、幹糸セットのスライド式糸巻は枝ハリスの長さが変動しても、糸巻は可能であるが、本体筒と補助筒の二段式のためストッパーの構造が複雑な上、スライドパイプの面積が多いため隙間に海水が入り込んだ場合すべりが悪くなる可能性があり安定性に問題があった。又幹糸の糸巻部が複数釣針、枝ハリス、幹糸セットの固定式糸巻と同様に直径が小さくなるため幹糸に巻き糸癖が数多くつくため、実際の釣において影響が出るので、これらの問題の解決が必要であった。これらの問題を解決のため当発明の物では一本の筒状体で、複数釣針、枝ハリス、幹糸セットの枝ハリスの長さが変動しても、半固定形移動式糸巻で枝ハリス長さに関係なく自由に調整できる為、非常に使用が容易になっている上、糸巻の直径、一辺等を中心筒より大きくすることにより、巻き糸癖を非常に少なくすることができる優れた発明である。
【課題を解決するための手段】
【０００５】
発明の糸巻を上下に移動出来るようの中心に円筒、三角筒、四角筒、多角筒のいずれかを用い、筒一本で任意の長さの外周全体を上下に移動させる為、中心筒より直径、一辺の大なる円柱、角柱、多角柱、逆円錐柱の形状のいずれかを任意の巾にて、両端に糸はずれ止め用の円盤、多角盤のいずれかの枠を設けた糸巻で、更にその糸巻の上下サイドの円盤、多角盤の周囲の下方部分に任意の数の糸止めを設けた物を幹糸糸巻とし、その糸巻を枝ハリスの長さに応じ半固定移動できるように、糸巻の中心穴と中心筒の接触面の抵抗性を利用し、半固定できる様にした穴を削穴し、その糸巻を中心筒の任意の位置に挿入セットし、複数釣針、枝ハリス、幹糸セットの枝ハリスの長短に合わせ、調整し、糸巻本体を半固定化状態にでき、且幹糸を巻き取ることの出来るよう、幹糸巻き部分を中心筒と分離構造にした糸巻にしたことを特長とする、幹糸糸巻を上下自由に調整可能にした、半固定形移動式の複数釣針、枝ハリス、幹糸セットの半固定形移動式糸巻である。その上で一本の中心筒の円筒類の上部の円周には一個ないし任意の数のＶ字型、山谷型、凸凹型等の切り込みを入れて、複数釣針の付いた枝ハリスの釣針を収容する釣針保管部とし、釣針保管部よりの空間を枝ハリスのはわせ部とし、中心筒とは別に糸巻として、糸巻が中心筒を移動、半固定させるので、ゴム製品、弾力のある合成樹脂等の材質で、中心筒より直径の大なる円柱、角柱、多角柱、逆円錐柱の中心に中心筒が入るように穴を削穴し、中心筒に挿入するようにし、更に糸巻の両端に糸はずれ止めの円盤、多角盤の何れかを設け、その円周、多角周等の空間に一個ないし任意の数の、幹糸の両端を止める為の、円柱、角柱、多角柱類に帽子を付け、上面より切れ目を入れた、円柱切れ目付き幹糸、糸止めを設け、幹糸の先端及び終端のハリスを止める、幹糸糸止めとして工作し、幹糸の先端及び終端を切れ目に入れ一回転させ引っ張って、固定させることの出来るもので、本体は一本構造で全体の長さは特定でも複数釣針から枝ハリスの長さに関係なく、釣針保管部より幹糸糸巻までの長さに自由に合わせることが可能であり、又移動式糸巻部の直径、一辺を中心筒より大きくする事により幹糸の巻き糸癖を大幅に減少させることが出来る糸巻で、中心筒の直径及び一辺は釣針の数、幹糸の長さにより任意の大きさにすること出来る、複数釣針、枝ハリス、幹糸のセットを糸の流れに添った形で使用でき、簡単、綺麗に糸巻出来、従来の複数釣針、枝ハリス、幹糸セットの糸巻固定式及びスライド式の問題を改善させた究極の糸巻の複数釣針、枝ハリス、幹糸セットの半固定形移動式糸巻です。
【発明の効果】
【０００６】
現在趣味に於いての複数釣針の保管は釣り人の保管が困難な為に一回のみ使用で廃棄されてケースが多く無駄であった。又複数の釣針が付いた仕掛けは釣針の数が多い為、針先による怪我が発生し易く危険であったが、釣針の先が円筒類の内側を向いている為、安全に管理することが出来る上、従来の特許取得済の複数釣針、枝ハリス、幹糸セットの固定式及びスライド式糸巻を更に構造を変革させ発明したもので、それらの問題点である一本の本体で枝ハリスの長さが変化しても幹糸が糸巻できるよう半固定形移動式糸巻を採用するとともに、旧糸巻は本体筒のくびれ方式採用しているため幹糸を巻取りした場合はハリスに巻き糸癖が付きやすく実際の釣に於いて問題が発生する為、糸巻の直径、一辺を中心筒の直径より大きくする事により糸巻による巻き糸癖を減少させるようにした、究極の糸巻であり釣り人の複数釣針の枝ハリス、幹糸の糸巻き作業が簡単、容易で、洗浄が簡単に行え、釣糸、針の有効活用が出来るようになり、釣の楽しみを倍加させる物であります。又漁業に於いての釣針の保管は非常に手間のかかるものであり、今回の発明は円筒類の長さ及び直径又は一辺を変えれば漁業用としての使用も可能であり、複数釣針の糸巻の機械化も可能と考えられる画期的な発明であります。
【発明を実施するための最良の形態】
【０００７】
図１１に示す実施例に基づいて本発明の実施態様を説明する。始めに複数釣針９の一個を持ち釣針内側の円の部分を釣針保管部６のＶ形の谷底より枝ハリスの結束部１３を半固定形移動式糸巻１の糸巻部３の、水平の中心に来るように半固定形移動式糸巻１を上下に移動し、幹糸の糸巻位置を仮に計測確定する。その後複数釣針が付いた幹糸１１の先端１３を円柱切れ目糸止め５のいずれかに糸止めし、枝ハリス１０の一番目の結び目１５迄で半固定形移動式糸巻１の糸巻部３に巻き、結び目１５の枝ハリス１０をはわせ部８を通し、釣針９を上部釣針保管部６へ持って行き、釣針保管部６の切れ目の部分に針先を内側向きにして引っ掛けるとともに、枝ハリス１０の先頭結び目から次の枝ハリス１０の結び目が付いている部分までの幹糸１１を、半固定形移動式糸巻１の糸巻部３に巻き取り、二番目結び目の枝ハリス１０を直角に、はわせ部８を通し、上部釣針保管部６に釣針９を釣針保管部6の切れ目の部分に針先を内側にして引っ掛けると、同時に枝ハリス１０の結び目１５より幹糸１１を次の結び目１５まで幹糸１１を半固定形移動式１の糸巻部３に巻き取る。これを繰り返し行い釣針９、枝ハリス１０、幹糸１１が綺麗に糸巻き取りする事が出来る。最後に幹糸１１の終端１４を近くの傘付円柱切れ目糸止め５のいずれかに糸止めし、保管できる糸巻である。特にこの糸巻は中心筒の周囲を上下に移動、固定出来る様にした半固定形移動式糸巻で釣針、枝ハリス、幹糸の枝ハリスの長さが変化しても、一本の筒状の、中心筒の一定の長さに於いて、上下に自由に移動できる半固定形移動式糸巻である。この中で傘付円柱切れ目糸止め５の使用方法はスナップ無しの場合切れ目の糸止め５に幹糸１１の両端１３、１４いずれでも円柱類に１回転させてから幹糸１１を切れ目に挿入して固定させる又スナップ１２使用時はスナップ１２の直前の部分を、糸止め5に幹糸１１の両端１３、１４いずれでも円柱に一回転させてから幹糸１１を切れ目に挿入して簡単に固定させる事ができ、いずれも外れ難く、解除しやすい物である。この糸巻は枝ハリ１０と幹糸１１が分離している為、糸絡みがなく又釣針９の先が円筒類内側に向きになる為に引っ掛けることが少なくなり、安全に使用することが出来る発明である。保管した複数釣針ハリスの、使用時の糸止めの解除は傘付円柱切れ目糸止め5より、幹糸１１の終端１４を止めた傘付円柱切れ目糸止め５の手前の糸を軽く引き外し、半固定形移動式糸巻１の糸巻部３に巻かれた幹糸１１を順次ほどいて、緩んだ枝ハリス１０に付いている釣針９を、釣針保管部６より外して使用する。
【産業上の利用可能性】
【０００８】
魚釣りに於ける複数釣針、枝ハリス、幹糸セットの保管、管理は趣味、漁業に於いては重要な道具でありますがその保管については旧態依然としあまり改善の進展が少なく、商品化は限られておりました。今回の発明は特許取得済複数釣針、枝ハリス、幹糸セットの糸巻固定式及びスライド式を更に改善しより使い易く、一個の製品にて枝ハリスの長さに関係なく使用できるよう、構造を簡単にし使用範囲を広げた複数釣針、枝ハリス、幹糸セットの半固定移動式糸巻で、更に改善することにより複数釣針、枝ハリス、幹糸セットを管理する道具とし、大型化が可能であり、魚業用としても使用出来るものであります。
【図面の簡単な説明】
【０００９】
【図１】本発明に係る複数釣針、枝ハリス、幹糸を巻き取ることの出来る半固定形移動式糸巻の全体の正面図、
【図２】本発明に係る全体の平面図、
【図３】本発明に係る全体の側面図、
【図４】本発明に係る全体の底面図
【図５】本体に係る一部を構成する半固定形移動式糸巻の正面図。
【図６】本体に係る一部を構成する半固定形移動式糸巻の側面図
【図７】本体に係る一部を構成する半固定形移動式糸巻の平面図
【図８】本体に係る一部を構成する半固定形移動式糸巻の底面図
【図９】本体に係る一部を構成する半固定形移動式糸巻の断面図
【図１０】本発明に係る複数釣針付き、枝ハリス、幹糸の実際の形態図である。
【図１１】本発明に係る 図10の実際の複数釣針、枝ハリス、幹糸セットを使用した場合の実際の糸巻の流れを明示した図面である。
【符号の説明】
【００１０】
１  半固定形移動式糸巻
２  半固定形移動式糸巻中心筒挿入穴
３  糸巻部
４  糸、巻き取り外れ防止盤
５  傘付円柱切れ目式糸止め
６  釣針保管部
７  中心筒
８  はわせ部
９  釣針
１０  枝ハリス
１１  幹糸
１２  スナップ
１３  幹糸先端
１４  幹糸終端
１５  幹糸と枝ハリスの結束部
【図１】
2006325474.tif 000003
【図２】
2006325474.tif 000004
【図３】
2006325474.tif 000005
【図４】
2006325474.tif 000006
【図５】
2006325474.tif 000007
【図６】
2006325474.tif 000008
【図７】
2006325474.tif 000009
【図８】
2006325474.tif 000010
【図９】
2006325474.tif 000011
【図１０】
2006325474.tif 000012
【図１１】
2006325474.tif 000013